(57)【要約】【課題】バックライトを光源するホールド型の映像表示装置において、３：２プルダウン方式によるテレシネ変換されたビデオ映像信号の表示時に、３：２の変則的な動きを解消することで自然な動きとして認識可能とし、さらに人の目の追従視による網膜残像効果によるボヤケを改善した映像表示装置を提供する。【解決手段】バックライト１１を光源とするホールド型の映像表示装置において、３：２プルダウン方式によりテレシネ変換されたビデオ映像信号の表示時に、ＬＳＩによる映像信号処理と表示装置７へのデータ書込みのフレームレートを変更することなしに、バックライトの点滅パターンと周期をフレームレートと異なるフレームレートで制御する手段８を具備する。３フレーム間ホールドされる画像の始めと終わりの所定時間の間、それぞれバックライトを消灯するよう制御する。【選択図】図５
2008072300.tif 000002
【特許請求の範囲】
【請求項１】
バックライトを光源とするホールド型の映像表示装置において、
３：２プルダウン方式によりテレシネ変換されたビデオ映像信号の表示時に、ＬＳＩによる映像信号処理と表示装置へのデータ書込みのフレームレートを変更することなしに、前記バックライトの点滅パターンと周期を前記フレームレートと異なるフレームレートで制御する手段を具備することを特徴とする映像表示装置。
【請求項２】
請求項１記載の映像表示装置において、
３フレーム間ホールドされる画像の始めと終わりの所定時間の間、それぞれバックライトを消灯するよう制御することを特徴とする映像表示装置。
【請求項３】
バックライトを光源とするホールド型の映像表示装置において、
３：２プルダウン方式によりテレシネ変換されたビデオ映像信号の表示時に、表示装置へのデータ書込みのフレームレートを変更することなしに、フィルムデジャダリング処理等によるＬＳＩによる映像信号処理によるフレーム生成手段を併用し、前記バックライトの点滅パターンと周期を前記フレームレートと異なるフレームレートで制御する手段を具備することを特徴とする映像表示装置。
【請求項４】
請求項３記載の映像表示装置において、
前後のフレームより動きベクトルを検出して中間時間のフレームを生成するとともに、元のフィルムのコマの画像で、連続する動きとならないフレーム画像のデータが表示装置に書き込まれている間、バックライトを消灯するよう制御することを特徴とする映像表示装置。
【発明の詳細な説明】
【技術分野】
【０００１】
本発明は、映像表示装置に関し、特に映像表示装置におけるバックライト点滅制御方法に関する。
【背景技術】
【０００２】
３：２プルダウン方式によるテレシネ変換
映画などの毎秒２４コマで撮影されたフィルムソースを、ＴＶ放送や、ビデオテープ、ＤＶＤなどのパッケージメディアを介して、ＮＴＳＣ方式のＴＶ受像機で映像を表示するためには、毎秒約６０フィールドのビデオ映像信号への変換を行う必要がある。この変換は３：２プルダウン方式によるテレシネ変換と呼ばれる。フィルムの各コマの画像はデジタル画像として取り込まれ、該画像に対して各ラインを上から１、２、３．．．と番号付けしたときに、その奇数ラインの画像、偶数ラインの画像はそれぞれ飛び越し走査方式であるビデオ映像信号の奇数フィールド、偶数フィールドに展開される。
【０００３】
図１は３：２プルダウン方式によるテレシネ変換を説明したものである。同図において、１／２４秒の時間間隔で撮影されたフィルムの各コマが、同図の左側より右側に向かって並べられている。３：２プルダウン方式では、同図の左端に位置する最初のコマを２つのフィールドに、その右隣に位置する２番目のコマを３つのフィールドに割り当てる。３番目以降のコマに対しても、２つのフィールド、３つのフィールドに割り当てることを繰り返すことにより、２４コマ／秒のフィルムを約６０フィールド／秒のビデオ映像信号に変換することができる。
【０００４】
フィルムモード検出・表示
一方、ＴＶ受像機では、前記のようにして３：２プルダウン方式によるテレシネ変換さされたビデオ映像信号を、通常のＮＴＳＣ方式によるインターレース映像信号と同様に取り扱い表示することが可能となる。
【０００５】
しかしここで、映像表示装置が順次走査型である場合には、より積極的に、３：２プルダウン方式によるテレシネ変換されたビデオ映像信号であることを検出することで、より高精細な順次走査表示が可能となる。この検出・表示は、フィルムモードまたはシネマモードなどと呼ばれる。
【０００６】
図１の下段はこの表示方法を説明したものである。まず、ビデオ映像信号の各フィールドの映像内容を比較することで、フィルムモード検出を行う。この検出方法の１例としては、図１のフィールドＥの映像内容はフィールドＣの映像内容と常に同一の繰り返しフィールドであり、これは３：２プルダウン方式によるテレシネ変換されたビデオ映像信号に特有のものである。この存在を画素値の差分絶対値の総和を計算するなどして検出する。
【０００７】
このようにして３：２プルダウン方式によるテレシネ変換されたビデオ映像信号であることを検出できた場合には、元のフィルムのコマを構成していたビデオ映像信号の奇数フィールドと偶数フィールドを特定し、これを再構成し順次走査画像として表示することが可能となる。図１においては、奇数フィールドＡと偶数フィールドＢを用いて、順次走査画像Ｉが再構成される。順次走査画像IIも、奇数フィールドＡと偶数フィールドＢを用いて再構成される。つまり、順次走査画像ＩとIIは同一ものである。また、奇数フィールドＣ（＝Ｅ）と偶数フィールドＤを用いて、順次走査画像III〜Ｖが再構成され、またこれらは同一のものである。ここで本説明において着目すべき点は、元のフィルムのコマでは表示画面中の位置で車が左から右に常に動いているが、順次走査表示ＩとIIの間では車は止まって表示され、順次走査表示III〜Ｖの間でも車は止まって表示されることである。
【０００８】
一方で、フィルムモード検出せずに、通常のＮＴＳＣ方式によるインターレース映像信号としてＩ／Ｐ（インターレース／プログレッシブ）変換を行って順次走査画像を生成した場合には、フィールド内の上下のラインの画像から補間して、元のビデオ映像信号に存在していなかったラインを生成するなどの処理が入るため、フィルムモード検出・表示する場合に比較し垂直解像度が落ちてしまうなどの弊害があり、前記のフィルムモード検出・表示することが望ましい。
【特許文献１】特開２００５−１１７５２９号公報
【発明の開示】
【発明が解決しようとする課題】
【０００９】
３：２プルダウン方式によるテレシネ変換されたビデオ映像信号の表示の課題
前記のようにして、３：２プルダウン方式によるテレシネ変換されたビデオ映像信号を、フィルムモード検出し表示したものを、図２においては、映像中の動いている物体に着目し、横軸を表示画面中の位置、縦軸を時間で表示している様子を示している。ある幅を持った縦の帯が左から右に一定速度で水平移動を行なっている。縦の時間間隔は１フレーム＝１／６０秒間隔であり、液晶パネルなどのホールド型の映像表示装置において、この間の表示状態は変化しない。また、図１において車が順次走査表示ＩとIIの間で止まっており、順次走査表示III〜Ｖの間でも車は止まっていることと同様に、図２において、１フレーム＝１／６０秒間隔で画像データが書込まれ更新されるが、上から１つ目（ｉ）と２つ目（ii）のフレームの間で物体は止まって表示され、３つ目（iii）〜５つ目（ｖ）のフレームの間で物体は止まって表示される。
【００１０】
該表示が通常のテレシネ変換されていないインターレース映像信号を表示した場合と比較して課題となることが、根本的な動きの間隔が２４コマ／秒で長いという課題の他に、次の２点存在する。
第１には、本来のフィルムのコマでは等しい時間間隔だった動きが、２フレーム：３フレームのパターンが続く変則的な時間間隔の動きになってしまっていることである。これは連続的でない不自然な動きとして認識されてしまうことになる（課題１）。
第２に、前記課題１と同時に、液晶パネルなどのホールド型映像表示装置における、人の目の追従視による網膜残像効果による、動きボヤケがより顕著になってしまうことである。これについては次に説明する。
【００１１】
ホールド型映像表示装置における人の目の追従視による網膜残像効果による動きボヤケ
前記は３：２プルダウン方式による映像信号についてであるが、先にこの前提となる２：２プルダウン方式によるテレシネ変換されたビデオ映像信号の人の目の追従視による網膜残像効果による動きボヤケについて説明する。
【００１２】
図３は、ホールド型映像表示装置における、２：２プルダウン方式による映像表示の動きとボヤケ幅を説明したものである。２：２プルダウン方式によるテレシネ変換は、３：２プルダウン方式の場合と同様に、映画などの毎秒２４コマで撮影されたフィルムソースを、ＴＶ受像機で映像を表示するために行うテレシネ変換のもう一方の方式であるが、異なる点は、ＰＡＬ方式またはＳＥＣＡＭ方式のＴＶ受像機で映像を表示するために、毎秒５０フィールドのビデオ映像信号への変換であることである。常に１つのフィルムのコマから２つのフィールドへの変換であり、２フレーム：２フレームのパターンでの表示となり、３：２プルダウン方式の場合と異なって、図で示すように等しい時間間隔の動きである。
【００１３】
動く物体への人の目の網膜残像効果について、動きに追従して像が積分して認識されるということが知られている。図３においては、図中の「追従視による見え方」に示すように、輪郭部にある幅を持ったボヤケが発生することとなる。このボヤケ幅は、映像のホールド時間が長いほど、大きくなってしまう。通常のＰＡＬ方式またはＳＥＣＡＭ方式のインターレース映像信号の場合では５０フィールド／秒の間隔で動きがあるので、これと比較すると、２：２プルダウン方式によるテレシネ変換されたビデオ映像信号では、２倍の大きな幅のボヤケが発生していることとなる。
【００１４】
前記は、２：２プルダウン方式によるテレシネ変換されたビデオ映像信号の人の目の追従視による網膜残像効果による動きボヤケについてであるが、３：２プルダウン方式の場合の動きボヤケについては、同様に考えると、図２の図中の「追従視による見え方」に示すような輪郭部に幅を持ったボヤケが発生することとなる。しかし、このボヤケ幅は、２フレーム：３フレームの変則的なパターンのために、２：２プルダウン方式の場合と比較しても、さらに大きなものとなってしまっているという課題があった（課題２）。
【００１５】
課題解決への新たな公知技術
さらに、上記の課題を解決するための公知の技術としては、フレームレートコンバート処理技術がある。特許文献１には、フレームレートをＮＴＳＣ方式の約６０Ｈｚより高くして、このために必要となるフレームの映像を動きベクトル検出を行い生成する技術についての記述がある。
【００１６】
前記フレームレートは表示装置でシステム制約上一定とすることが多く求められ、３：２プルダウン方式によるテレシネ変換された映像信号と通常のＮＴＳＣ方式によるインターレース映像信号の両方に理想的に対応できる最小のフレームレートは２４Ｈｚと約６０Ｈｚの最小公倍数となる約１２０Ｈｚであって、この１２０Hｚで動作させた場合のフレームレートコンバート処理の表示の様子を図４に示す。図中の物体の位置移動の様子やボヤケ幅に示すように前記の３：２の変則的な動き（課題１）と人の目の追従視によるボヤケ（課題２）はこの技術によって十分に解決されることが可能である。
【００１７】
さらに、フィルムの動きの間隔が２４コマ／秒であり、通常のＮＴＳＣ方式によるインターレース映像信号と比較し長く、カクカクした動きが認識可能となってしまっていたという根本的な課題も解決されることが可能である。
【００１８】
しかし、このときの弊害としては、図４において、斜線で塗ったフレーム（ｉとiii以外）の映像は前後の斜線で塗っていないフレーム（ｉとiii）から動きベクトル検出し予測生成された映像であり、多くの生成エラーも含まれる。図に示すようにこの斜線で塗ったフレームが全体のフレームの８０％含まれていることになるので、生成エラーが非常に多い映像表示となってしまう可能性がある（課題３）。
【００１９】
また、フレームレートを約１２０Ｈｚの元の約６０Ｈｚの２倍にすることは、画質補正なども含めたバックエンドの映像信号処理や表示装置への表示データ書込みを２倍の速さで行う必要があり、相応の映像処理性能が要求される（課題４）。
さらには、この処理のための消費電力も増加してしまう（課題５）。
【課題を解決するための手段】
【００２０】
本発明１による映像表示装置は、上記課題を解決するために、３：２プルダウン方式によりテレシネ変換されたビデオ映像信号の表示時に、ＬＳＩによる映像信号処理と表示装置へのデータ書込みのフレームレートを変更することなしに、バックライトの点滅パターンと周期を前記フレームレートと異なるフレームレートで制御する手段を具備している。
【００２１】
また、本発明２による映像表示装置は、前記本発明１において、３フレーム間ホールドされる画像の始めと終わりの所定時間の間、それぞれバックライトを消灯するよう制御する。
【００２２】
そして、本発明３においては、表示装置へのデータ書込みのフレームレートを変更することなしに、フィルムデジャダリング処理などによるＬＳＩによる映像信号処理によるフレーム生成手段を併用し、バックライトの点滅パターンと周期を前記フレームレートと異なるフレームレートで制御する手段を具備している。
【００２３】
更に、本発明４による映像表示装置は、前記本発明３において、前後のフレームより動きベクトルを検出して中間時間のフレームを生成するとともに、元のフィルムのコマの画像で、連続する動きとならないフレーム画像のデータが表示装置に書き込まれている間、バックライトを消灯するよう制御する。
【発明の効果】
【００２４】
３：２プルダウン方式によりテレシネ変換されたビデオ映像信号の表示時に、
本発明１、２による映像表示装置によれば、従来のフィルムモード表示のみ行った場合と比較して、多少の輝度フリッカー現象が表れることとバックライトの最大輝度の向上は必要とされるが、ＬＳＩによる映像信号処理や表示装置への表示データ書込みを全く変更することなしに、３：２の変則的な動きを解消することで自然な動きとして認識可能とし、さらに人の目の追従視によるボヤケ幅が改善される。
【００２５】
また、本発明３、４による映像表示装置によれば、順次走査インパルス型映像表示装置に見られるような輝度フリッカー現象が表れることとバックライトの最大輝度の向上は必要とされるが、６０Ｈｚのフィルムデジャダリング処理を行った場合と比較して、元のフィルムの全てのコマを表示できることによりフレームを新たに生成する割合を最小限に抑え生成エラーの少ない高精細な映像を残すことができ、そのうえで、前記デジャダリング処理を行ったときと同様に３：２の変則的な動きを解消することで自然な動きとして認識可能とし、さらに前記デジャダリング処理を行ったとき以上に人の目の追従視によるボヤケ幅は大きく改善される。また、１２０Ｈｚなどへのフレームレートコンバート処理を行った場合と比較して、ＬＳＩによる映像信号処理や表示装置への表示データ書込みのフレームレートを高めなくて良いので、その分の画像処理性能や消費電力を必要とすることなく、またフレームを新たに生成する割合を最小限に抑えることで生成エラーの少ない高精細な映像を残すことができ、そのうえで、前記フレームレートコンバート処理を行ったときと同様に３：２の変則的な動きを解消することで自然な動きとして認識可能とし、さらに前記フレームレートコンバート処理を行ったとき以上に人の目の追従視によるボヤケ幅が大きく改善される。
【発明を実施するための最良の形態】
【００２６】
本発明を実施するための最良の形態を説明する。
本発明の映像表示装置の実施例について、図面を用いて説明する。
【実施例１】
【００２７】
実施例１を説明する。図５は本発明の第１の実施例である映像表示装置を概略的に示すブロック図である。図の左端より、図示しない前段の映像信号処理回路を通って輝度・色差成分に分離されたインターレース映像信号が入力されている。始めに、フィルムモード検出回路１において、入力された映像信号が３：２プルダウン方式によりテレシネ変換された映像信号であるかそうでないかが、前記のように繰り返しフィールドに注目するなどの方法により、検出される。通常のＮＴＳＣ方式によるインターレース映像信号の場合においては、動き適応型または動き補償型Ｉ／Ｐ変換回路３に入力され、元の映像信号には含まれていないもう一方のフィールド映像が上下ラインまたは前後フィールド映像を参考に生成され、順次走査型（プログレッシブ）映像信号に変換されることになる。しかし、前記のフィルムモード検出回路１において３：２プルダウン方式によりテレシネ変換された映像信号であることが検出された場合には、映像信号は前記のＩ／Ｐ変換回路３に入力される代わりに、信号切換回路２により切り換えられ、フィルムモード復元回路４に入力される。フィルムモード復元回路４においては、フィルムモード検出回路１より入力されるフレーム判別情報（対象フィールドが図１のＡ〜Ｅのいずれであるかの情報）を参照し、前記図１の下段のようにフィールドが組み合わされ、順次走査型（プログレッシブ）映像信号に変換される。前記いずれかの回路により変換された順次走査型映像信号は、さらに拡大／縮小・画質補正回路５とタイミングコントローラ６を通り、最終的に液晶パネル７に最上部ラインより順に書き込まれる。以上は映像信号の処理の流れであるが、一方、バックライト１１の制御については、本実施例においてはバックライト点滅パターン生成回路８が存在し、前記フィルムモード検出回路１より出力されたフィルムモード切換信号とフレーム判別情報が入力される。このバックライト点滅パターン生成回路８において生成された点滅パターンを元に、バックライト垂直分割点滅制御回路９では入力される垂直同期信号に同期し、インバータ１０を制御し、冷陰極蛍光管などで構成されるバックライト１１を点滅させることとなるが、図６にこれら回路で行われる本実施例によるバックライト点滅制御方法の説明図を示す。
【００２８】
図６の最上段は、液晶パネルに順次走査画像のデータを書込み更新していく垂直走査方法を示している。１つのブロックが１フレーム分の画像の書込みとホールド表示を示している。液晶パネルの１ライン目から順に画像が更新され、１／６０秒後に最終のＮラインが更新される。更新された画像は、１／６０秒間ホールドされる。
【００２９】
次に図６の中段は、バックライトの点滅制御方法を示している。斜線で塗った部分は点灯状態であり、黒の部分は消灯状態である。このバックライトの点滅制御も１ライン目から最終ラインへと順に変更される。この垂直方向の制御速度は、前記の液晶パネルの更新と同じ１／６０秒で制御されているが、点灯または消灯の保持期間については自由に制御可能であり、図中では点灯時は１／３０秒保持され、消灯時は１／１２０秒保持されている。前記パターンで周期１／２４秒の点滅制御が行われている。
【００３０】
さらに、図６の図中の時点Ａでの、２次元空間でのバックライトの点灯状態を、図７に示す。図７では、横方向に置かれた冷陰極蛍光管が、縦方向に数十本並べられていて、縦方向の真ん中部分にある冷陰極蛍光管が消灯されている。縦方向に並べられた冷陰極蛍光管の本数分のみ、縦方向の領域を分割し点灯制御が可能となる。バックライトを構成する素子として冷陰極蛍光管の他にＬＥＤの場合でも同様な制御が可能である。
【００３１】
また、図６の最下段は、液晶パネルとバックライトを一緒にした、最終的な表示である見え方を示している。
【００３２】
光源であるバックライトの光は、液晶パネルの液晶の配向状態による比率で透過し、最終的に人の目に到達する表示となる。液晶パネルにどのような画像が設定されていようとも、バックライトが消灯している領域では、表示は黒であり人の目に到達する表示とならない。
【００３３】
図８は、図６のバックライト点滅制御による表示を行ったときに、図２に対応する表示がどのように変化するか示したもの説明図である。
【００３４】
図２において、３フレーム間ホールドされる画像の始めの１／１２０秒と終わりの１／１２０秒が、バックライトが消灯されているために表示されない。このため、次に説明する人の目の認識上の違いが生じてくる。
【００３５】
まずはじめに本実施例の映像表示装置の性能上好ましくない点としては、これらのバックライトが消灯されている期間の割合で、人の目には表示の輝度が定常的に暗くなったと認識されることがある。この場合では、バックライトを全く消灯しなかった場合と比較し８０％の輝度に変化したと認識される。この輝度の低下を補償するには、この分、バックライトの最大輝度を上げておく必要がある。ただし、このバックライト制御方法の変更前後で消費電力の増加にはならない。また、輝度が短い周期ではあるが変化するために画面全体のフリッカーとして認識される可能性が出てくる。しかし、従来からＣＲＴの映像表示装置においては、１／６０秒間中の一瞬を大光量で光らせ残りの期間は消灯状態となっているインパルス型の表示を行っており、同様のフリッカーは発生していた。また、このフリッカーをより少なくする方法としては、図８中の期間aもバックライトを消灯することにより輝度変化の周期を短くすることも可能である。
【００３６】
次に本実施例の映像表示装置の性能上良い点としては、上記図２では２フレーム：３フレームのパターンが続く変則的な時間間隔の動きとなっていたが、図８においては常に２フレーム：２フレームのパターンで等しい時間間隔の動きに改善されている。このことで連続的で自然な動きとして認識される（課題１の解消）。
【００３７】
次に人の目の追従視による網膜残像効果による動きボヤケについては、図中の「追従視による見え方」に示すようにボヤケ幅が改善される。これは、図３の２：２プルダウンの場合の「追従視による見え方」に示すボヤケ幅より改善されている（課題２の解消）。
【実施例２】
【００３８】
実施例２を説明する。図１０は本発明の第２の実施例である映像表示装置を概略的に示すブロック図である。前記の実施例１の図５から、フィルムデジャダリング処理回路１２が追加されている。また、バックライト点滅パターン生成回路８’は、フィルムデジャダリング処理対応であり、図５のものと異なる。
【００３９】
本実施例は、フィルムデジャダリング処理技術と組み合わせたものであり、そのバックライト点滅制御の方法を説明する。図９はフィルムデジャダリング処理による表示を示している。フィルムデジャダリング処理技術は、フレームレートは６０Ｈｚのままではあるが、フィルムモード検出・表示時のみ元のフィルムのコマの２４Ｈｚの動きを動きベクトル検出を行い、間のフレームの映像を生成し、通常のＮＴＳＣ方式によるインターレース映像信号と同じ６０Ｈｚの動きの映像に変換する技術である。
【００４０】
図９に示すように、３：２の変則的な動きの解消（課題１の解消）と人の目の追従視によるボヤケ幅の改善（課題２の改善）となるが、図中の上から３つ目のフレームに示すように、等間隔な動きにするためには、元のフィルムのコマの映像の２つに１つは、そのまま表示に使用されることはなく、代わりに、動きベクトルが検出され間の動きのフレームを生成するために使用されるのみとなってしまう。このことは、元のフィルムのコマの映像の代わりに予測生成された映像が表示されることになるので、その分、生成エラーが多く含まれる映像となっていることが考えられる（課題６）。
【００４１】
図１１に、実施例２におけるフィルムデジャダリング処理とバックライト点滅制御方法の説明図を示す。斜線で塗られたフレームは、前後のフレーム（ｉ、iiiフレーム）より動きベクトル検出され生成された中間時間のフレームである。図中の×印のフレームは、元のフィルムのコマの画像で、連続する動きとならないフレーム画像であるが、図中の中段に示すように、この間はバックライトが消灯されているので、全く人の目に到達する表示とはならない。バックライトは１／２４０秒の点灯と１／６０秒の消灯のパターンで周期１／４８秒の点滅制御となり、時間平均した輝度が１００％点灯のときと比較して２０％になってしまう。また前記と同様に画面全体のフリッカーとして認識される可能性が出てくる。しかし、元のフィルムのコマの映像が全て表示に使用されるため、動きベクトル検出による間のフレームの生成エラーの全表示に占める割合を最小限にすることが可能となる（課題６の解消）。
【００４２】
図１２は、図１１のフィルムデジャダリング処理とバックライト点滅制御を行ったときの映像表示の動きと人の目の追従視によるボヤケ幅を示したものである。３：２の変則的な動きの解消（課題１の解消）と人の目の追従視によるボヤケ幅の大幅な改善（課題２の改善）となっている。通常のＮＴＳＣ方式によるインターレース映像信号の表示においては、ホールド型映像表示装置における人の目の追従視による網膜残像効果を解消するために擬似インパルス型表示を行うことが考えられているが、３：２プルダウン方式によるテレシネ変換された映像信号を表示する場合には、このように効果的にバックライトの点滅制御を行うことで、同様な表示が可能となることを示している。
【００４３】
また、前記図４のフレームレートコンバート処理を行った場合と比較して、本実施例による制御において、映像信号処理や表示装置への表示データ書込みのフレームレートは６０Ｈｚのままなので、その分の画像処理性能や消費電力を必要とすることはない（課題４と課題５の解消）。
【００４４】
また、前記フレームレートコンバート処理においては、元のフィルムのコマの５倍の数のフレームを動きベクトル検出により生成することになるが、該バックライト点滅制御と組合せて表示する場合には２倍の数のフレームを新たに生成すれば良く、このフレーム生成割合を最小限に抑えることで生成エラーの少ない高精細な映像を表示することが可能となる（課題３の改善）。
【図面の簡単な説明】
【００４５】
【図１】３：２プルダウン方式によるテレシネ変換の説明図である。
【図２】３：２プルダウン方式による映像表示の動きとボヤケ幅の説明図である。
【図３】２：２プルダウン方式による映像表示の動きとボヤケ幅の説明図である。
【図４】３：２プルダウン方式による映像の１２０Ｈｚへのフレームレートコンバート処理による表示の動きとボヤケ幅の説明図である。
【図５】実施例１の映像表示装置を概略的に示すブロック図である。
【図６】実施例１におけるバックライト点滅制御方法の説明図である。
【図７】図６の図中のＡ時点のバックライト装置と点灯状態を示す図である。
【図８】実施例１における映像表示の動きとボヤケ幅の説明図である。
【図９】フィルムデジャダリング処理による表示の動きとボヤケ幅の説明図である。
【図１０】実施例２の映像表示装置を概略的に示すブロック図である。
【図１１】実施例２におけるフィルムデジャダリング処理とバックライト点滅制御方法の説明図である。
【図１２】実施例２における映像表示の動きとボヤケ幅の説明図である。
【符号の説明】
【００４６】
１  フィルムモード検出回路
２  信号切換回路
３  動き適応型／動き補償型 Ｉ／Ｐ変換回路
４  フィルムモード復元回路
５  拡大／縮小・画質補正回路
６  タイミングコントローラ
７  液晶パネル
８  バックライト点滅パターン生成回路
８’  バックライト点滅パターン生成回路（フィルムデジャダリング処理対応）
９  バックライト垂直分割点滅制御回路
１０  インバータ
１１  バックライト
１２  フィルムデジャダリング処理回路
【図１】
2008072300.tif 000003
【図２】
2008072300.tif 000004
【図３】
2008072300.tif 000005
【図４】
2008072300.tif 000006
【図５】
2008072300.tif 000007
【図６】
2008072300.tif 000008
【図７】
2008072300.tif 000009
【図８】
2008072300.tif 000010
【図９】
2008072300.tif 000011
【図１０】
2008072300.tif 000012
【図１１】
2008072300.tif 000013
【図１２】
2008072300.tif 000014